(57)【要約】【課題】本発明は、マイクロカプセル磁気泳動表示シートの表面に表示された文字を完全に消去できるイレーザーを提供する。【解決手段】利用者によって把持されるケースと、該ケースの内部に保持される複数の磁石と、を備え、該複数の磁石のうち隣り合った磁石は、磁力線が異なる様に配置されている。これにより、バッテリーを使用しない方法でマイクロカプセルに作用させる磁力線を変化させ、マイクロカプセル磁気泳動表示シートの表面に表示された文字を完全に消去できる。【選択図】図１
2019124773.tif 000002
【特許請求の範囲】
【請求項１】
利用者によって把持されるケースと、
該ケースの内部に保持される複数の磁石と、を備え、
該複数の磁石のうち隣り合った磁石は、磁力線が異なる様に配置されている事を特徴とするイレーザー。
【請求項２】
前記ケースの中心に位置する第１磁石と、該第１磁石に隣り合った第２磁石とは、磁力線が所定の角度異なる様に配置されている事を特徴とする請求項１に記載のイレーザー。
【請求項３】
前記第１磁石側とは反対側に配置されると共に前記第２磁石に隣り合った第３磁石の磁力線は、前記第２磁石の磁力線に対して所定の角度度、及び前記第１磁石の磁力線に対して９０度異なるように配置されている事を特徴とする請求項２に記載のイレーザー。
【請求項４】
前記第２磁石及び第３磁石は、前記第１磁石を中心に３６０度取り囲むように配置されている事を特徴とする請求項３に記載のイレーザー。
【発明の詳細な説明】
【技術分野】
【０００１】
本発明は、マイクロカプセル磁気泳動表示シートの表面に表示された文字を表面から消去可能なイレーザーに関する。
【背景技術】
【０００２】
従来からマイクロカプセル磁気泳動表示シートの表面に表示された文字を表面から消去できるイレーザーは知られている。例えば、特許文献１には、マイクロカプセル磁気泳動表示シートと磁石との間にクリアランスを設けるために磁石に非磁性体を配置し、磁石を固定して磁力線を変化させないイレーザーが開示されている。このイレーザーの磁石の磁力線を、マイクロカプセル磁気泳動表示シート内のマイクロカプセルに水平に作用させることができる。これにより、表面側に集まったマイクロカプセル内の黒色の磁性粒子を泳動させ、分散させ、白色顔料の非磁性粒子を表面に多く集めることで、表面に表示された文字を消去させることができる。
【０００３】
また、特許文献２には、筐体内部にモータと磁石とを備え、磁石を回転可能にして磁力線を変化させるイレーザーが開示されている。
【先行技術文献】
【特許文献】
【０００４】
【特許文献１】特開２００８−１２２９８９号公報
【特許文献２】特許第６２１３８８６号公報
【発明の概要】
【発明が解決しようとする課題】
【０００５】
しかしながら、特許文献１のイレーザーは、水平の磁力線のみをマイクロカプセルに作用させるには、クリアランスを大きく取る必要があり、マイクロカプセルと磁石とのクリアランスが大きくなればなるほど、マイクロカプセルに作用させる磁力線が弱まり、表面に表示された文字を完全に消去できない事があった。
【０００６】
また、引用文献２のイレーザーは、モータを駆動するためにバッテリーを必要とし、使用したいときにバッテリー切れで使用できない事があった。
【０００７】
また、本出願人は、モータ及びバッテリーを使用しない方法でマイクロカプセルに作用させる磁力線を変化させることで黒色の磁性粒子を大きく泳動させることを見出した。
【０００８】
本発明は、モータ及びバッテリーを使用せずに、マイクロカプセル磁気泳動表示シートの表面に表示された文字を完全に消去できるイレーザーを提供する事を目的とする。
【課題を解決するための手段】
【０００９】
上記目的を達成するために、請求項１に記載の発明に係るイレーザーは、利用者によって把持されるケースと、該ケースの内部に保持される複数の磁石と、を備え、該複数の磁石のうち隣り合った磁石は、磁力線が異なる様に配置されている。
【００１０】
請求項２に記載の発明に係るイレーザーにおいて、前記ケースの中心に位置する第１磁石と、該第１磁石に隣り合った第２磁石とは、磁力線が所定の角度異なる様に配置されている。
【００１１】
請求項３に記載の発明に係るイレーザーにおいて、前記第１磁石側とは反対側に配置されると共に前記第２磁石に隣り合った第３磁石の磁力線は、前記第２磁石の磁力線に対して所定の角後及び前記第１磁石の磁力線に対して９０度異なるように配置されている。
【００１２】
請求項４に記載の発明に係るイレーザーにおいて、前記第２磁石及び第３磁石は、前記第１磁石を中心に３６０度取り囲むように配置されている。
【発明の効果】
【００１３】
本発明によれば、ケースは、利用者によって把持される。複数の磁石は、該ケースの内部に保持される。該複数の磁石のうち隣り合った磁石は、磁力線が異なる様に配置されている。この結果、モータ及びバッテリーを使用せずに、マイクロカプセル磁気泳動表示シートの表面に表示された文字を完全に消去できる。また、利用者がイレーザーを前後左右方向に摺動させた場合、第１磁石２１の磁力線で、マイクロカプセル内の磁性粒子を表面に対して垂直方向へ泳動させ、次に、第２磁石２２及び第３磁石２３の磁力線で、磁性粒子を表面に対して水平方向に泳動させることにより、磁性粒子の状態に依らず安定して消去できる。
【図面の簡単な説明】
【００１４】
【図１】本発明の実施形態に係るイレーザーの全体形状図である。
【図２】本実施形態に係るイレーザーの図１のＡ−Ａ断面図である。
【図３】本実施形態に係るイレーザーの図１のＢ−Ｂ断面図である。
【発明を実施するための形態】
【００１５】
本発明のイレーザーに係る実施形態について、図面を参照して説明する。
【００１６】
［実施形態］
本発明の実施形態に係るイレーザーについて、説明する。イレーザーを説明するために、図１に示す矢印Zの奥方向を「前」及び手前方向を「後」と、矢印Yの上方向を「上」及び下方向を「下」と、矢印Xの左方向を「左」及び右方向を「右」と、表現して説明する。
【００１７】
図１に示すように、イレーザーは、ケース１を備え、ケース１の下側に位置する底面が、マイクロカプセル磁気泳動表示シートの表面に配置される。このケース１を利用者が手で掴み、表面に記載された文字等を消去するために、表面上を摺動させる。
【００１８】
図２は、図１のＡ−Ａ断面図であり、図３は、図１のＢ−Ｂ断面図である。図２及び図３を用いて、イレーザーを詳細に説明する。
【００１９】
イレーザーは、ケース１と、第１磁石２１と、第２磁石２２と、第３磁石２３と、蓋３と、を備える。
【００２０】
ケース１は、プラスチック等の非磁性材料である材質から形成されており、筐体を兼ねている。ケース１の上の部分は、利用者が手で持つ部分であり、利用者が握りやすい形状が望ましい。ケース１の下側に位置する底面には、開口を有する凹部が形成されている。この凹部に磁石が配置される。また、その磁石と凹部との空隙に、樹脂が充填されており、磁石が固着される。
【００２１】
第１磁石２１は、ケース１の凹部の中心に配置される。第１磁石２１の磁極のうちN極の面が、マイクロカプセル磁気泳動表示シートの表面に対面する位置及び水平となる位置に配置される。これにより、第１磁石２１に対面するマイクロカプセル磁気泳動表示シートのマイクロカプセルに対し、第１磁石２１の磁力線が垂直に作用する。
【００２２】
第２磁石２２は、第１磁石２１と同一の形状及び大きさで形成されている。第２磁石２２は、図３に示すように第１磁石２１を３６０度取り囲むようにケース１の凹部に配置される。また第２磁石２２の磁極のうちＮ極の面が、マイクロカプセル磁気泳動表示シートの表面に対して４５度の角度となる位置に配置される。これにより、第２磁石２２に対面するマイクロカプセル磁気泳動表示シートのマイクロカプセルに対して、第２磁石２２の磁力線が４５度の角度で作用する。
【００２３】
第３磁石２３は、第１磁石２１と同一の形状及び大きさで形成されている。第３磁石２３は、図３に示すように第１磁石２１及び第２磁石２２を取り囲むようにケース１の凹部に配置される。また第３磁石２３の磁極のうちＮ極の面が、マイクロカプセル磁気泳動表示シートの表面に対して垂直となる位置に配置される。これにより、第３磁石２３に対面するマイクロカプセル磁気泳動表示シートのマイクロカプセルに対して、第３磁石２３の磁力線が、水平方向で作用する。
【００２４】
蓋３は、プラスチック等の非磁性材料である材質から形成されており、ケース１の凹部の開口を塞ぐ大きさを有している。また蓋３には、マイクロカプセル磁気泳動表示シートの表面を摺動し易くするために、摩擦係数の小さい材質でコーティングされている。例えば、フッ素コーティングなどが望ましい。
【００２５】
＜本実施形態の使用形態＞
次に、本実施形態の使用形態について説明する。本使用形態は、イレーザーの摺動方向を変化させたときの使用形態である。  
【００２６】
利用者が、マイクロカプセル磁気泳動表示シートの表面に記載された文字のうち、消したい文字の部分に、本実施形態のイレーザーを配置し、消したい文字の表面上を、前後左右自在に摺動させることができる。利用者が前方向にイレーザーを摺動させると、マイクロカプセル磁気泳動表示シートの１のマイクロカプセルには、第１磁石２１のＮ極からの垂直方向の磁力線が作用し、次に第２磁石のＮ極からの４５度の角度で磁力線が作用し、さらに第３磁石２３のＮ極から水平方向に磁力線が作用する。これにより、１のマイクロカプセルに異なった磁力線を作用させることができる。
＜本実施形態の効果＞
本実施形態によれば、モータ等で駆動させる必要がないために、バッテリーが不要となる事から、利用者は使用したいときにバッテリー切れ等を気にする事なく、本発明のイレーザーを使用する事ができる
【００２７】
本実施形態によれば、第１磁石２１を中心に３６０度取り囲むように第２磁石２２及び第３磁石２３を配置している。このため、利用者が摺動方向に束縛されず、前後左右自在にイレーザーを摺動する事ができる。
【００２８】
本実施形態によれば、第１磁石２１、第２磁石２２、及び第３磁石２３の磁極の角度を異ならせて配置させている。これにより、利用者がイレーザーを摺動すると、マイクロカプセル磁気泳動表示シートの１のマイクロカプセルには、異なった磁力線が作用するためにマイクロカプセル内で磁性粒子の動きが活発となり、表面から遠ざかる方向に磁性粒子が動き、消去性を高めることができる。
【００２９】
本発明の実施形態について以上説明したが、本発明の趣旨を逸脱しない範囲において、当業者であれば種々の変更を加える事ができる。
【００３０】
（変形例１）
本実施形態において、第１磁石２１を中心に取り囲むように第２磁石２２及び第３磁石２３を配置している。この実施形態に代えて、第１磁石２１を中心に左右方向に一直線に並ぶように第２磁石２２及び第３磁石２３を配置させるのみで、第１磁石２１を取り囲まないようにしても良い。
【００３１】
（変形例２）
本実施形態において、第１磁石２１、第２磁石２２、及び第３磁石２３は同一の形状及び大きさを有する。この実施形態に代えて、第１磁石２１、第２磁石２２、及び第３磁石２３は、異なる形状及び大きさであっても良い。
【００３２】
（変形例３）
本実施形態において、図２に示すように第１磁石２１は、N極の面がマイクロカプセル磁気泳動表示シートの表面に対面する位置及び水平となる位置に配置される。第２磁石２２は、N極の面がマイクロカプセル磁気泳動表示シートの表面に対して４５度の角度となる位置に配置される。第３磁石２３は、N極の面がマイクロカプセル磁気泳動表示シートの表面に対して垂直となる位置に配置される。この実施形態に代えて、図２のＮ極とS極との配置位置を変えても良い。例えば、第１磁石２１は、Ｓ極の面がマイクロカプセル磁気泳動表示シートの表面に対面する位置及び水平となる位置に配置され、第２磁石２２及び第３磁石も同様にＳ極の面が図２に示すＮ極の面に配置される。
【００３３】
（変形例４）
本実施形態において、イレーザーは、ケース１と、第１磁石２１と、第２磁石２２と、第３磁石２３と、を備える。この実施形態に代えて、第１磁石、第２磁石、第３磁石に加えて第４磁石を備えても良い。例えば、第１磁石は、ケース１の凹部の中心、かつＮ極の面がマイクロカプセル磁気泳動表示シートの表面に対面する位置及び水平となる位置に配置される。第２磁石は、第１磁石を３６０度取り囲むように、かつＮ極の面が表面に対して３０度の角度になる位置に配置される。第３磁石は、第１磁石、第２磁石及び後述の第４磁石を３６０度取り囲むように、かつＮ極の面が表面に対して垂直となる位置に配置される。第４磁石は、第１磁石、第２磁石を３６０度取り囲むように、かつＮ極の面が表面に対して６０度の角度になる位置に配置される。
【００３４】
（変形例５）
本実施形態において、第２磁石は、N極の面がマイクロカプセル磁気泳動表示シートの表面に対して３０度の角度になる位置に配置される。この実施形態に代えて、角度は水平である０度、垂直である９０度以外であれば、何度であっても良い。また、第４磁石を加えた場合にも、第２磁石及び第４磁石の角度は不等間隔の角度で配置されても良い。
【符号の説明】
【００３５】
１・・・ケース、２１・・・第１磁石、２２・・・第２磁石、２３・・・第３磁石、３・・・蓋
【図１】
2019124773.tif 000003
【図２】
2019124773.tif 000004
【図３】
2019124773.tif 000005